(57)【要約】【課題】回転操作部を確実に第１状態で留めることができ、かつ、操作部材の変形や破損を抑制することができる画像投影装置を提供する。【解決手段】回転操作部５４ａの開閉カバー５４をベース部材５３に固定するための固定部１６１の図中下面（ベース部材５３と対向する面）には、ベース部材５３に設けられた嵌合凸部２５３と嵌合する嵌合凹部１６１ａが設けられている。この嵌合凹部１６１ａよりも回転操作部５４ａの固定回転方向下流側（図中左側）から隣接する箇所には、嵌合凸部２５３を押し戻す押し戻し部１６１ｂが設けられている。押し戻し部１６１ｂは、回転操作部５４ａの固定回転方向上流から下流に向けてベース部材５３から徐々に離間するようなテーパ形状となっている。【選択図】図３０
2014035487.tif 000002
【特許請求の範囲】
【請求項１】
装置本体に対して着脱可能に構成された光源部に備えられた光源からの光を用いて画像を形成する画像形成部と、
前記画像を投射する投射光学部と、
前記光源部を装置本体に対して着脱するために設けられた開口部を開閉する開閉カバーとを備えた画像投影装置において、
前記開閉カバ−を装置本体に固定する第１状態と、この固定が解除される第２状態とを操作によって選択的とりうるように前記開閉カバーに対して可動に取り付けられた操作部材と、
装置本体及び前記操作部材のいずれか一方に設けられた嵌合凹部および他方に設けられ前記嵌合凹部と嵌合する嵌合凸部を備え、前記第２状態から前記第１状態をとなるように前記操作部材を操作すると、前記嵌合凹部を有する面に前記嵌合凸部を押し当てながら、前記嵌合凸部が前記嵌合凹部へ向けて相対的に移動し、前記嵌合凸部が嵌合凹部と嵌合することで、前記操作部材を前記第１状態で留める留め手段と、
前記嵌合凸部が嵌合凹部に嵌合する手前で前記操作部材の操作を止めたとき、前記操作部材を、前記第２状態から前記第１状態をとなるように前記操作部材を操作するときの固定操作方向とは逆方向に押し戻す押し戻し手段とを備えたことを特徴とする画像投影装置。
【請求項２】
請求項１の画像投影装置において、
前記押し戻し手段は、前記第２状態から前記第１状態をとなるように前記操作部材を操作したときに、嵌合凹部を有する面の前記嵌合凸部が押し当る箇所に形成され、前記嵌合凹部に向かうにつれて前記嵌合凸部を有する面との隙間が徐々に狭まる傾斜部であることを特徴とする画像投影装置。
【請求項３】
装置本体に対して着脱可能に構成された光源部に備えられた光源からの光を用いて画像を形成する画像形成部と、
前記画像を投射する投射光学部と、
前記光源部を装置本体に対して着脱するために設けられた開口部を開閉する開閉カバーとを備えた画像投影装置において、
前記開閉カバ−を装置本体に固定する第１状態と、この固定が解除される第２状態とを操作によって選択的とりうるように前記開閉カバーに対して可動に取り付けられた操作部材と、
装置本体及び前記操作部材のいずれか一方に設けられた嵌合凹部および他方に設けられ前記嵌合凹部と嵌合する嵌合凸部を備え、前記第２状態から前記第１状態をとなるように前記操作部材を操作すると、前記嵌合凹部を有する面に前記嵌合凸部を押し当てながら、前記嵌合凸部が前記嵌合凹部へ向けて相対的に移動し、前記嵌合凸部が嵌合凹部と嵌合することで、前記操作部材を前記第１状態で留める留め手段と、
前記嵌合凸部が嵌合凹部を通りすぎたとき、前記嵌合凸部を前記嵌合凹部へ押し戻す嵌合維持手段とを備えたことを特徴とする画像投影装置。
【請求項４】
請求項１または２の画像投影装置において、
前記嵌合凸部が嵌合凹部を通りすぎたとき、前記嵌合凸部を前記嵌合凹部へ押し戻す嵌合維持手段を備えたことを特徴とする画像投影装置。
【請求項５】
請求項３または４の画像投影装置において、
前記嵌合維持手段は、前記嵌合凸部が嵌合凹部を通りすぎたとき、嵌合凹部を有する面の嵌合凸部が押し当る箇所に形成され、嵌合凹部から離れるに従い前記嵌合凸部の有する面との隙間が徐々に狭まる傾斜部であることを特徴とする画像投影装置。
【請求項６】
請求項１乃至５いずれかの画像投影装置において、
前記光源部が装置本体に装着されたときに、前記光源部が突き当る突き当て部を有し、
前記開閉カバーは、前記第２状態から前記第１状態をとなるように前記操作部材を操作すると、前記光源部に当接して、前記光源部を突き当て部に押し込む押し込み手段を設けたことを特徴とする画像投影装置。
【請求項７】
請求項６の画像投影装置において、
前記押し込み手段は、前記光源部を突き当て部に付勢する付勢手段を備えたことを特徴とする画像投影装置。
【請求項８】
請求項６または７の画像投影装置において、
前記押し込み手段は、前記第２状態から前記第１状態にする前記操作部材の操作により前記光源部に対する押し込み力が徐々に高まる構成としたことを特徴とする画像投影装置。
【請求項９】
請求項１乃至８いずれかの画像投影装置において、
前記操作部材は、前記開閉カバーに対して回転自在に取り付けられたことを特徴とする画像投影装置。
【発明の詳細な説明】
【技術分野】
【０００１】
本発明は、画像投影装置に関するものである。
【背景技術】
【０００２】
従来から、パソコンやビデオカメラ等からの画像データを基に、ハロゲンランプ、メタルハライドランプ、高圧水銀ランプなどの光源から出射される光を用いて画像形成部により画像を形成し、その画像をスクリーン等に投射して表示する画像投影装置が知られている。
【０００３】
特許文献１には、筐体に光源を装置本体に対して着脱するための開口部を設け、この開口部を覆う開閉カバーを備えた画像投影装置が記載されている。この特許文献１に記載の画像投影装置においては、開閉カバーを筐体にネジ止めしている。
【０００４】
また、開閉カバ−を装置本体に固定する第１状態と、この固定が解除される第２状態とを操作によって選択的とりうるように開閉カバーに対して回動自在に取り付けられた回転操作部材を備えた画像投影装置も知られている。
図４３は、回転操作部材を備えた画像投影装置の開口部が形成された筐体としてのベース部材５３と、開口部を覆うようにして取り付けられた開閉カバー５４とを示す斜視図である。
図に示すように、開閉カバー５４の略中央部に操作部材としての回転操作部５４ａが回動自在に取り付けられている。回転操作部５４ａには、開閉カバー５４をベース部材５３に固定にするための２個の固定部１６１が設けられている。ベース部材５３の開口部の縁部は、内部側（図中上側）へ突出しており、回転操作部５４ａが上記第１状態のとき上記固定部１６１と対向する箇所に切り欠き５３ｄが設けられている。
【０００５】
図４４は、上記切り欠き５３ｄ周辺の拡大構成図であり、（ａ）は、回転操作部５４ａを回動させて、固定部１６１を矢印Ａ方向に移動させている様子を示す概略図であり、（ｂ）は、開閉カバ−を装置本体に固定した状態を示す概略図である。
図４４に示すように、切り欠き５３ｄには、嵌合凸部２５３が形成されており、回転操作部の固定部１６１には、上記嵌合凸部２５３が嵌る嵌合凹部１６１ａが形成されている。
【０００６】
図４４（ａ）に示すように、開閉カバ−を装置本体に固定するために、回動操作部を図中矢印Ａ方向に回動させていくと、固定部１６１の図中右端部が、嵌合凸部２５３に突き当たる。この状態からさらに回転操作部を回転させていくと、固定部１６１が弾性変形して嵌合凸部に乗り上げ、図４４（ｂ）に示すように、固定部１６１の嵌合凹部１６１ａが嵌合凸部２５３と嵌合する。このように、嵌合凹部１６１ａが嵌合凸部２５３に嵌ることで、回転操作部５４ａを上記第１状態に留めることができ、振動などにより回転操作部５４ａが回動して、開閉カバー５４が装置本体から外れるのを抑制している。
【発明の概要】
【発明が解決しようとする課題】
【０００７】
図４３，図４４に示した画像投影装置においては、開閉カバーを筐体にネジ止めする上記特許文献１に記載の画像投影装置に比べて、容易に開閉カバーの筐体に対する固定と固定の解除とを行うことができる。
【０００８】
しかしながら、先の図４３、図４４に示した画像投影装置においては、固定部１６１を嵌合凸部２５３に乗り上げさせるときに、回動の負荷が大きくなる。このため、ユーザーによっては、回転操作部５４ａが上記第１状態となったと勘違いして図４５に示す状態で回転操作部５４ａの操作を止めてしまう場合がある。その結果、固定部１６１が弾性変形した状態のまま放置されることになり、経時使用で固定部１６１がクリープ変形して元の形状に戻らず、正常に開閉カバー５４を装置本体に固定することができなくなるおそれがある。また、振動などにより回転操作部５４ａが回動して、開閉カバー５４が装置本体から外れてしまうおそれがあった。
【０００９】
本発明は以上の課題に鑑みなされたものであり、その目的は、回転操作部を確実に第１状態で留めることができ、かつ、操作部材の変形や破損を抑制することができる画像投影装置を提供することである。
【課題を解決するための手段】
【００１０】
上記目的を達成するために、請求項１の発明は、装置本体に対して着脱可能に構成された光源部に備えられた光源からの光を用いて画像を形成する画像形成部と、前記画像を投射する投射光学部と、前記光源部を装置本体に対して着脱するために設けられた開口部を開閉する開閉カバーとを備えた画像投影装置において、前記開閉カバ−を装置本体に固定する第１状態と、この固定が解除される第２状態とを操作によって選択的とりうるように前記開閉カバーに対して可動に取り付けられた操作部材と、装置本体及び前記操作部材のいずれか一方に設けられた嵌合凹部および他方に設けられ前記嵌合凹部と嵌合する嵌合凸部を備え、前記第２状態から前記第１状態をとなるように前記操作部材を操作すると、前記嵌合凹部を有する面に前記嵌合凸部を押し当てながら、前記嵌合凸部が前記嵌合凹部へ向けて相対的に移動し、前記嵌合凸部が嵌合凹部と嵌合することで、前記操作部材を前記第１状態に留める留め手段と、前記嵌合凸部が嵌合凹部に嵌合する手前で前記操作部材の操作を止めたとき、前記操作部材を、前記第２状態から前記第１状態をとなるように前記操作部材を操作するときの固定操作方向とは逆方向に押し戻す押し戻し手段とを備えたことを特徴とするものである。
【発明の効果】
【００１１】
請求項１の発明によれば、嵌合凸部が嵌合凹部に嵌合する手前で、操作部材の操作を止めたとき、操作部材を、第２状態から第１状態をとなるように操作部材を操作するときの固定操作方向とは逆方向に操作部材を押し戻すので、ユーザーに対して、嵌合凸部と嵌合凹部とが嵌合していないことを報知することができる。これにより、嵌合凸部と嵌合凹部とが嵌合していない状態で装置が使用されてしまうのを抑制することができる。よって、ユーザーの操作ミスを抑制することができ、確実に操作部材を第１状態で留めることができる。その結果、振動などにより操作部材が固定操作方向と逆方向に動いて、開閉カバーの固定が解除される不具合を抑制することができる。
【００１２】
また、操作部材が押し戻されることで、操作部材が弾性変形した状態で放置されることがない。これにより、操作部材がクリープ変形するのを抑制すことができる。
【図面の簡単な説明】
【００１３】
【図１】本実施形態に係るプロジェクタと投影面とを示す斜視図。
【図２】プロジェクタから投影面までの光路図。
【図３】プロジェクタの内部構成を示す概略斜視図。
【図４】光源部の概略斜視図。
【図５】照明部に収納された光学系部品を、他の部とともに示す斜視図。
【図６】照明部と投影レンズ部と画像形成部とを図５のＡ方向から見た斜視図。
【図７】照明部内での光の光路を説明する図。
【図８】画像形成部の斜視図。
【図９】第１光学部を、照明部と画像形成部とともに示す斜視図。
【図１０】図９のＡ−Ａ断面図。
【図１１】第２光学部が保持する第２光学系を、投影レンズ部と照明部と画像形成部とともに示す斜視図。
【図１２】第２光学部を、第１光学部、照明部、画像形成部とともに示す斜視図。
【図１３】第１光学系から投影面までの光路を示す斜視図。
【図１４】装置内の各部の配置関係を示した模式図。
【図１５】本実施形態のプロジェクタの使用例を示す図。
【図１６】従来のプロジェクタの使用例を示す図。
【図１７】図１６とは異なる従来のプロジェクタの使用例を示す図。
【図１８】本実施形態のプロジェクタの別の使用例を示す図。
【図１９】プロジェクタを設置面側見た斜視図。
【図２０】開閉カバー５４を装置から取り外した様子を示す斜視図。
【図２１】プロジェクタ内の空気の流れを説明する説明図。
【図２２】ＤＭＤなどを冷却する冷却部を、照明部および光源部ともに示す斜視図。
【図２３】図２２の断面図。
【図２４】水平ダクトと光源部とベース部材とを示す斜視図。
【図２５】水平ダクトから光源ブラケットへの空気の流れを、下側から見た図。
【図２６】水平ダクトから光源ブラケットへの空気の流れを、上側から見た斜視図。
【図２７】開閉カバーを示す斜視図。
【図２８】回転操作部を示す斜視図。
【図２９】回転操作部と付勢部材とを示す斜視図。
【図３０】回転操作部の固定部周辺の拡大構成図。
【図３１】ベース部材の光源部取り出し口周辺を示す概略構成図。
【図３２】回転操作部を開閉カバーに取り付ける様子を説明する斜視図。
【図３３】開閉カバーを、ベース部材の光源部取り出し口に組み付けたときの斜視図。
【図３４】開閉カバーをベース部材の光源部取り出し口に固定したときの斜視図。
【図３５】図３３の矢印ｄ方向から見た斜視図。
【図３６】本出願人が開発した画像投影装置において、回転操作部を回しすぎたときの様子を示す図。
【図３７】本実施形態の画像投影装置において、回転操作部を回しすぎたときの様子を示す斜視図。
【図３８】嵌合凹部が嵌合凸部に嵌合しているときの様子を示す斜視図。
【図３９】開閉カバーをベース部材の光源部取り出し口に固定時における光源部の押し込みについて説明する図。
【図４０】開閉カバーを光源部取り出し口に固定したときときの様子を、照明部、光源部、ベース部材とともに示す斜視図。
【図４１】回転操作部が、固定解除位置にあるときの図４０の矢印ｄ方向から見た斜視図。
【図４２】回転操作部が、固定位置にあるときの図４０の矢印ｄ方向から見た斜視図。
【図４３】本出願人が開発した画像投影装置のベース部材と、開閉カバーとを示す斜視図。
【図４４】本出願人が開発した画像投影装置の切り欠き周辺の拡大構成図。
【図４５】同開発品において、嵌合凹部を嵌合凸部に嵌合させずに、回転操作を止めたときの様子を示す図。
【発明を実施するための形態】
【００１４】
以下、本発明が適用される画像投影装置としてのプロジェクタの実施形態について説明する。図１は、本実施形態に係るプロジェクタ１とスクリーンなどの投影面１０１とを示す斜視図である。なお、以下の説明では、投影面１０１の法線方向をＸ方向、投影面の短軸方向（上下方向）をＹ方向、投影面１０１の長軸方向（水平方向）をＺ方向とする。
図１に示すように、プロジェクタ１の上面には、投影画像Ｐが出射する透過ガラス５１が設けられており、透過ガラス５１から出射した投影画像Ｐが、スクリーンなどの投影面１０１に投影される。
また、プロジェクタ１の上面には、ユーザがプロジェクタ１を操作するための操作部８３が設けられている。また、プロジェクタ１の側面には、ピント調整のためのフォーカスレバー３３が設けられている。
【００１５】
図２は、プロジェクタ１から投影面１０１までの光路図である。
プロジェクタ１は、光源を備えた不図示の光源部と、光源からの光を用いて画像を形成する画像形成系Ａとを有している。画像形成系Ａは、画像形成素子としてのＤＭＤ１２（Digital Mirror Device）を備えた画像形成部１０と、光源からの光を、折り返してＤＭＤ１２に照射して光像を生成する照明部２０とで構成されている。また、画像を投影面１０１に投影するための投影光学系Ｂを有している。投影光学系Ｂは、透過型の屈折光学系を少なくとも一つ含み、正のパワーを有する共軸系の第１光学系７０を備えた第１光学部３０と、折り返しミラー４１と正のパワーを有する曲面ミラー４２とを備えた第２光学部４０とで構成されている。
【００１６】
ＤＭＤ１２は、不図示の光源の光が照明部２０によって照射され、この照明部２０によって照射された光を変調することで画像を生成する。ＤＭＤ１２によって生成された光像は、第１光学部３０の第１光学系７０、第２光学部４０の折り返しミラー４１、曲面ミラー４２を介して、投影面１０１に投影される。
【００１７】
図３は、プロジェクタ１の内部構成を示す概略斜視図である。
図３に示すように、画像形成部１０、照明部２０、第１光学部３０、第２光学部４０が、投影面および投影像の像面と平行な方向のうち図中Ｙ方向に並べて配置されている。また、照明部２０の図中右側には、光源部６０が配置されている。
【００１８】
なお、図３に示す符号３２ａ１、３２ａ２は、第１光学部３０のレンズホルダー３２の脚部であり、符号２６２は、画像形成部１０を照明部２０にネジ止めするためのネジ止め部である。
【００１９】
次に、各部の構造について、詳細に説明する。
【００２０】
まず、光源部６０について説明する。
図４は、光源部６０の概略斜視図である。
光源部６０は、光源ブラケット６２を有しており、光源ブラケットの上部にハロゲンランプ、メタルハライドランプ、高圧水銀ランプなどの光源６１が装着さている。また、光源ブラケット６２には、電源部８０（図１４参照）に接続された不図示の電源側コネクタと接続するコネクタ部６２ａが設けられている。
【００２１】
また、光源ブラケット６２の上部の光源６１の光出射側には、図示しないリフレクタなどが保持されたホルダ６４がネジ止めされている。ホルダ６４の光源６１配置側と反対側の面には、出射窓６３が設けられている。光源６１から出射した光は、ホルダに保持された不図示のリフレクタにより出射窓に集光され、出射窓６３から出射する。
【００２２】
また、ホルダ６４の上面と、ホルダの下面のＸ方向両端には、光源部６０を照明部２０の照明ブラケット２６（図６参照）に位置決めするため光源位置決め部６４ａ１〜６４ａ３が設けられている。ホルダ６４の上面に設けられた光源位置決め部６４ａ３は突起形状であり、ホルダ６４の下面に設けられた２つの光源位置決め部６４ａ１,６４ａ２は穴形状となっている。
【００２３】
また、ホルダ６４の側面には、光源６１を冷却するための空気が流入する光源給気口６４ｂが設けられており、ホルダ６４の上面には、光源６１の熱により加熱された空気が排気される光源排気口６４ｃが設けられている。
【００２４】
光源ブラケット６２には、後述するように吸気ブロワ９１（図２１など参照）から吸気された空気が流入する通過部６５が設けられている。また、通過部６５の図中手前側の空気流入側には、上記通過部６５へ流入する空気の一部を、光源部６０と後述する開閉カバー５４（図７参照）との間に流すための開口部６５ａが設けられている。なお、光源部６０の冷却については、後述する。
【００２５】
また、図４に示す光源位置決め突起６４ａ３が設けられた平面部６４ｄ２、光源位置決め穴６４ａ１,６４ａ２が設けられた平面部６４ｄ１は、後述するように、開閉カバーの押し当て手段により押されたときに、照明ブラケットに突き当る突き当て部である。
【００２６】
次に、照明部２０について説明する。
図５は、照明部２０に収納された光学系部品を、他の部とともに示す斜視図である。
図５に示すように、照明部２０は、カラーホイール２１、ライトトンネル２２、２枚のリレーレンズ２３、シリンダミラー２４、凹面ミラー２５を有しており、これらは、照明ブラケット２６に保持されている。照明ブラケット２６は、２枚のリレーレンズ２３、シリンダミラー２４、凹面ミラー２５が収納される筐体状の部分２６１を有しており、この筐体状の部分２６１の４つの側面部のうち、図中右側のみ側面を有し、他の３面は、開口した形状となっている。そして、図中Ｘ方向の奥側の側面部開口には、ＯＦＦ光板２７（図６参照）が取り付けられており、図中Ｘ方向手前側の側面部開口には、いずれの図面にも図示されていないカバー部材が取り付けられる。これにより、照明ブラケット２６の筐体状の部分２６１に収納される２枚のリレーレンズ２３、シリンダミラー２４、凹面ミラー２５は、照明ブラケット２６と、ＯＦＦ光板２７（図６参照）と、いずれの図面にも図示されていないカバー部材とにより覆われる。
【００２７】
また、照明ブラケット２６の筐体状の部分２６１の下面には、ＤＭＤ１２が露出するための照射用貫通孔２６ｄを有している。
【００２８】
また、照明ブラケット２６には、３つの脚部２９を有している。これら脚部２９は、プロジェクタ１のベース部材５３（図１９参照）に当接して、照明ブラケット２６に積み重ねて固定される第１光学部３０、第２光学部４０の重量を支持している。また、脚部２９を設けることにより、画像形成部１０のＤＭＤ１２を冷却するための冷却手段としてのヒートシンク１３（図６参照）に、後述するように、外気が流入するための空間を形成する。
【００２９】
なお、図５に示す符号３２ａ３、３２ａ４は、第１光学部３０のレンズホルダー３２の脚部であり、符号４５ａ３は、第２光学部４０のネジ止め部４５ａ３である。
【００３０】
図６は、照明部２０と投影レンズ部３１と画像形成部１０とを図５のＡ方向から見た斜視図である。
照明ブラケット２６の筐体状の部分２６１の上部には、図中Ｙ方向に対して直交する上面２６ｂが設けられている。この上面２６ｂの４角には、第１光学部３０をネジ止めするためのネジが貫通する貫通孔が設けられている（図６では、貫通孔２６ｃ１と２６ｃ２とが図示されており、残りの貫通孔については、不図示）。また、図中Ｘ方向手前側の貫通孔２６ｃ１,２６ｃ２に隣接して、第１光学部３０を照明部２０に位置決めするための位置決め孔２６ｅ１,２６ｅ２が設けられている。図中Ｘ方向手前側に設けられた２個の位置決め孔のうち、カラーホイール２１配置側の位置決め孔２６ｅ１は、位置決めの主基準であり、丸穴形状となっており、カラーホイール２１配置側と反対側の位置決め孔２６ｅ２は、位置決めの従基準であり、Ｚ方向に延びる長穴となっている。また、各貫通孔２６ｃ１,２６ｃ２の周囲は、照明ブラケット２６の上面２６ｂよりも突出しており、第１光学部３０をＹ方向に位置決めするための位置決め突起２６ｆとなっている。位置決め突起２６ｆを設けずに、Ｙ方向の位置精度を高める場合、照明ブラケット２６の上面全体の平面度を高める必要があり、コスト高になる。一方、位置決め突起２６ｆを設けることで、位置決め突起２６ｆの部分だけ、平面度を高めればよいので、コストを抑えて、Ｙ方向の位置精度を高めることができる。
【００３１】
また、照明ブラケット２６上面の開口部には、投影レンズ部３１の下部が嵌合する遮光板２６２が設けられており、上方から筐体状の部分２６１内への光の進入を防いでいる。
【００３２】
また、照明ブラケット２６の上面２６ｂの貫通孔２６ｃ１,２６ｃ２の間は、後述するように、第２光学部４０を、第１光学部３０にネジ止めする際に邪魔とならないように切り欠いている。
【００３３】
照明ブラケット２６のカラーホイール２１側端部（図中Ｚ方向手前側）には、前述の光源部６０のホルダ６４上面に設けられた突起状の光源位置決め部６４ａ３（図４参照）が嵌合する上下方向に貫通孔が形成された筒状の光源被位置決め部２６ａ３が設けられている。また、この光源被位置決め部２６ａ３の下方には、ホルダ６４の光源ブラケット６２側に設けられた２つの穴形状の光源位置決め部６４ａ１,６４ａ２が嵌合する突起状の２個の光源被位置決め部２６ａ１,２６ａ２が設けられている。そして、ホルダ６４の３つの光源位置決め部６４ａ１〜６４ａ３が、照明部２０の照明ブラケット２６に設けられた３箇所の光源被位置決め部２６ａ１〜２６ａ３に嵌合することで、光源部６０は、照明部２０に位置決め固定される（図３参照）。
【００３４】
また、照明ブラケット２６には、カラーホイール２１、ライトトンネル２２を覆う、照明カバー２８が取り付けられている。
【００３５】
図７は、照明部２０内での光の光路Ｌを説明する図である。
カラーホイール２１は、円盤形状のものであり、カラーモータ２１ａのモータ軸に固定されている。カラーホイール２１には、回転方向にＲ（レッド）、Ｇ（グリーン）、Ｂ（ブルー）などのフィルタが設けられている。光源部６０のホルダ６４に設けられた不図示のリフレクタにより集光された光は、出射窓６３を通って、カラーホイール２１の周端部に到達する。カラーホイール２１の周端部に到達した光は、カラーホイール２１の回転により時分割でＲ，Ｇ，Ｂの光に分離される。
【００３６】
カラーホイール２１により分離された光は、ライトトンネル２２へ入射する。ライトトンネル２２は、四角筒形状であり、その内周面が鏡面となっている。ライトトンネル２２に入射した光は、ライトトンネル２２内周面で複数回反射しながら、均一な面光源にされてリレーレンズ２３へ向けて出射する。
【００３７】
ライトトンネル２２を抜けた光は、２枚のリレーレンズ２３を透過し、シリンダミラー２４、凹面ミラー２５により反射され、ＤＭＤ１２の画像生成面上に集光して結像される。
【００３８】
次に、画像形成部１０について、説明する。
図８は、画像形成部１０の斜視図である。
図８に示すように画像形成部１０は、ＤＭＤ１２が装着されるＤＭＤボード１１を備えている。ＤＭＤ１２は、マイクロミラーが格子状に配列された画像生成面を上向きにしてＤＭＤボード１１に設けられたソケット１１ａに装着されている。ＤＭＤボード１１には、ＤＭＤミラーを駆動するための駆動回路などが設けられている。ＤＭＤボード１１の裏面（ソケット１１ａが設けられた面と反対側の面）には、ＤＭＤ１２を冷却するための冷却手段としてのヒートシンク１３が固定されている。ＤＭＤボード１１のＤＭＤ１２が装着される箇所は、貫通しており、ヒートシンク１３には、この不図示の貫通孔に挿入される突起部１３ａ（図７参照）が形成されている。この突起部１３ａの先端は、平面状になっている。突起部１３ａを不図示の貫通孔に挿入して、ＤＭＤ１２の裏面（画像生成面と反対側の面）に突起部１３ａ先端の平面部を当接させている。この平面部やＤＭＤ１２の裏面のヒートシンク１３が当接する箇所に弾性変形可能な伝熱シートを貼り付けて、突起部１３ａの平面部とＤＭＤ１２の裏面との密着性を高めて、熱伝導性を高めてもよい。
【００３９】
ヒートシンク１３は、固定部材１４により、ＤＭＤボード１１のソケット１１ａが設けられた面と反対側の面に加圧されて固定される。固定部材１４は、ＤＭＤボード１１の裏面の図中右側の部分に対向する板状の固定部１４ａと、ＤＭＤボード１１の裏面の図中左側の部分に対向する板状の固定部１４ａとを有している。各固定部のＸ方向一端付近と他端付近とには、左右の固定部を連結するように設けられた押し当て部１４ｂを有している。
【００４０】
ヒートシンク１３は、画像形成部１０を照明ブラケット２６（図６参照）にネジ止めすると、固定部材１４により、ＤＭＤボード１１のソケット１１ａが設けられた面と反対側の面に加圧されて固定される。
【００４１】
以下に、画像形成部１０の照明ブラケット２６の固定について、説明する。まず、ＤＭＤ１２が、先の図５で示した照明部２０の照明ブラケット２６下面に設けられた照射用貫通孔２６ｄの開口面と対向するように画像形成部１０を、照明ブラケット２６に位置決めする。次に、固定部１４ａに設けられた不図示の貫通孔と、ＤＭＤボード１１の貫通孔１５とを貫通するように図中下側からネジを挿入し、ネジを照明ブラケット２６に設けられたネジ止め部２６２（図３参照）の下面に設けられたネジ穴にねじ込んで、画像形成部１０を照明ブラケット２６に固定する。また、照明ブラケット２６に設けられたネジ止め部２６２にネジをねじ込んでいくと、押し当て部１４ｂが、ヒートシンク１３をＤＭＤボード側へ押し込んでいく。これにより、ヒートシンク１３が、固定部材１４により、ＤＭＤボード１１のソケット１１ａが設けられた面と反対側の面に加圧されて固定される。
【００４２】
このように、画像形成部１０は、照明ブラケット２６に固定され、先の図５に示した３つの脚部２９は、画像形成部１０の重量も支持している。
【００４３】
ＤＭＤ１２の画像生成面には、可動式の複数のマイクロミラーが格子状に配列されている。各マイクロミラーは鏡面をねじれ軸周りに所定角度傾斜させることができ、「ＯＮ」と「ＯＦＦ」の２つの状態を持たせることができる。マイクロミラーが「ＯＮ」のときは、先の図７の矢印Ｌ２に示すように、光源６１からの光を第１光学系７０（図２参照）に向けて反射する。「ＯＦＦ」のときは、先の図６に示す照明ブラケット２６の側面に保持されたＯＦＦ光板２７に向けて光源６１からの光を反射する（図７の矢印Ｌ１参照）。従って、各ミラーを個別に駆動することにより、画像データの画素ごとに光の投射を制御することができ、画像を生成することができる。
【００４４】
不図示のＯＦＦ光板２７に向けて反射された光は、熱となって吸収され外側の空気の流れで冷却される。
【００４５】
次に、第１光学部３０について、説明する。
図９は、第１光学部３０を、照明部２０と画像形成部１０とともに示す斜視図である。
図９に示すように、第１光学部３０は、照明部２０の上方に配置されており、複数のレンズで構成された第１光学系７０（図２参照）を保持した投影レンズ部３１と、この投影レンズ部３１を保持するレンズホルダー３２とを有している。レンズホルダー３２には、下方へ延びる４つの脚部３２ａ１〜３２ａ４が設けられており（図９には、脚部３２ａ２,３２ａ３のみ図示されている。脚部３２ａ１は、図３参照、脚部３２ａ４は、図５参照）、各脚部３２ａ１〜３２ａ４の底面には、照明ブラケット２６にねじ止めされるためのネジ穴が形成されている。
【００４６】
また、投影レンズ部３１には、フォーカスギヤ３６が設けられており、フォーカスギヤ３６には、アイドラギヤ３５が噛み合っている。アイドラギヤ３５には、レバーギヤ３４が噛み合っており、レバーギヤ３４の回転軸には、フォーカスレバー３３が固定されている。フォーカスレバー３３の先端部分は、先の図１に示すように、装置本体から露出している。
【００４７】
フォーカスレバー３３を動かすと、レバーギヤ３４、アイドラギヤ３５を介して、フォーカスギヤ３６が回動する。フォーカスギヤ３６が回動すると、投影レンズ部３１内の第１光学系７０を構成する複数のレンズが、それぞれ所定の方向へ移動し、投影画像のピントが調整される。
【００４８】
また、レンズホルダー３２には、４箇所、第２光学部４０を第１光学部３０にネジ止めするためのネジ４８が貫通するネジ貫通孔３２ｃ１〜３２ｃ３を有している（図９では、３個のネジ貫通孔が図示されており、各ネジ貫通孔３２ｃ１〜３２ｃ３には、ネジ４８を貫通させた様子が示されており、図で見えているのは、ネジ４８のネジ部の先端側である。）。また、各ネジ貫通孔３２ｃ１〜３２ｃ４の周囲は、レンズホルダー３２の面から突出した第２光学部位置決め突起３２ｄ１〜３２ｄ３が形成されている（図９では、３２ｄ１〜３２ｄ３が図示されている）。
【００４９】
図１０は、図９のＡ−Ａ断面図である。
図１０に示すように、脚部３２ａ１,３２ａ２には、被位置決め突起３２ｂ１,３２ｂ２が、設けられている。そして、図中右側の被位置決め突起３２ｂ１は、照明ブラケット２６の上面２６ｂに設けられた位置決めの主基準である丸穴形状の位置決め孔２６ｅ１に、図中左側の被位置決め突起３２ｂ２は、位置決めの従基準である長穴形状の位置決め孔２６ｅ２にそれぞれ挿入されて、Ｚ軸方向、Ｘ軸方向の位置決めがなされる。そして、照明ブラケット２６上面２６ｂに設けられた貫通孔２６ｃ１〜２６ｃ４にネジ３７を挿入し、レンズホルダー３２の各脚部３２ａ１〜３２ａ４に設けられたネジ穴にネジ３７をねじ止めすることで、第１光学部３０が照明部２０に位置決め固定される。
【００５０】
投影レンズ部３１のレンズホルダー３２よりも上部側は、後述する第２光学部のミラーホルダー４５（図１２参照）により覆われている。なお、先の図３に示すように、投影レンズ部３１のレンズホルダー３２よりも下部側のレンズホルダー３２と照明部２０の照明ブラケット２６の上面２６ｂとの間の部分は、露出しているが、投影レンズ部３１は、レンズホルダー３２と嵌合しているため、この露出部から、画像の光路へ光が入り込むことはない。
【００５１】
次に、第２光学部４０について説明する。
図１１は、第２光学部４０が備える第２光学系を、投影レンズ部３１と照明部２０と画像形成部１０とともに示す斜視図である。
図１１に示すように、第２光学部４０は、第２光学系を構成する折り返しミラー４１と、凹面状の曲面ミラー４２とを備えている。曲面ミラー４２の光を反射する面は、球面、回転対称非球面、自由曲面形状などにすることができる。
【００５２】
図１２は、第２光学部４０を、第１光学部３０、照明部２０、画像形成部１０とともに示す斜視図である。
図１２に示すように、第２光学部４０は、曲面ミラー４２から反射した光像を透過するとともに、装置内の光学系部品を防塵するための透過ガラス５１も備えている。
【００５３】
第２光学部４０は、折り返しミラー４１と透過ガラス５１とを保持するミラーブラケット４３と、曲面ミラー４２を保持する自由ミラーブラケット４４と、ミラーブラケット４３および自由ミラーブラケット４４が取り付けられるミラーホルダー４５とを有している。
【００５４】
ミラーホルダー４５は、箱型の形状をしており、上面、下面および図中Ｘ方向奥側が開口しており、上から見たとき、略コの字状の形状をしている。ミラーホルダー４５の上部開口のＺ方向手前側と奥側とのそれぞれでＸ方向に延びる縁部は、図中Ｘ方向手前側端部からＸ方向奥側へ行くにつれて、上昇するように傾斜した傾斜部と、図中Ｘ方向と平行な平行部とで構成されており、傾斜部が、平行部より図中Ｘ方向手前側にある。また、ミラーホルダー４５の上部開口の図中Ｘ方向手前側のＺ方向に延びる縁部は、図中Ｚ方向と平行になっている。
【００５５】
ミラーブラケット４３は、ミラーホルダー４５の上部に取り付けられる。ミラーブラケット４３は、ミラーホルダー４５の上部開口縁部の傾斜部と当接する図中Ｘ方向手前側端部からＸ方向奥側へ行くにつれて、上昇するように傾斜した傾斜面４３ａと、ミラーホルダー４５の上部開口部縁部の平行部と当接するＸ方向に平行な平行面４３ｂとを有している。傾斜面４３ａと平行面４３ｂとは、それぞれ開口部を有しており、傾斜面４３ａの開口部を塞ぐように、折り返しミラー４１が保持されており、平行面４３ｂの開口部を塞ぐように透過ガラス５１が保持されている。
【００５６】
折り返しミラー４１は、板バネ状のミラー押さえ部材４６によりＺ方向両端が、ミラーブラケット４３の傾斜面４３ａに押し付けられることにより、ミラーブラケット４３の傾斜面４３ａに位置決め保持されている。折り返しミラー４１のＺ方向の一方側端部には、２個のミラー押さえ部材４６により固定されており、他方側端部には、１個のミラー押さえ部材４６により固定されている。
【００５７】
透過ガラス５１は、Ｚ方向両端が、板バネ状のガラス押さえ部材４７によりミラーブラケット４３の平行面４３ｂに押し付けられることにより、ミラーブラケット４３に位置決め固定されている。透過ガラス５１は、Ｚ方向両端それぞれ１個のガラス押さえ部材４７により保持されている。
【００５８】
曲面ミラー４２を保持する自由ミラーブラケット４４は、図中Ｘ方向奥側から手前側へ向けて下降するように傾斜した腕部４４ａをＺ軸方向手前側と奥側とに有している。また、自由ミラーブラケット４４は、腕部４４ａの上部でこれら二つの腕部４４ａを連結する連結部４４ｂを有している。自由ミラーブラケット４４は、ミラーホルダー４５の図中Ｘ方向奥側の開口を曲面ミラー４２が覆うように、腕部４４ａがミラーホルダー４５に取り付けられている。
【００５９】
曲面ミラー４２は、透過ガラス５１側端部の略中央部が、板バネ状の自由ミラー押さえ部材４９により自由ミラーブラケット４４の連結部４４ｂに押し付けられ、第１光学系側の図中Ｚ軸方向両端が、ネジにより自由ミラーブラケット４４の腕部４４ａに固定されている。
【００６０】
第２光学部４０は、第１光学部３０のレンズホルダー３２に積載固定される。具体的には、ミラーホルダー４５の下部には、レンズホルダー３２の上面と対向する下面４５１が設けらており、この下面４５１には、第１光学部３０にネジ止めするための筒状形状のネジ止め部４５ａ１〜４５ａ３が４箇所、形成されている（ネジ止め部４５ａ１、４５a２は、図１１参照。ネジ止め部４５ａ３は、図５参照、残りのネジ止め部は、不図示）。第２光学部４０は、第１光学部３０のレンズホルダー３２に設けられた各ネジ貫通孔３２ｃ１〜３２ｃ３にネジ４８を貫通させ、各ネジ止め部４５ａ１〜４５ａ３にネジ４８をネジ止めすることにより、第１光学部３０にネジ止めされる。このとき、第２光学部４０のミラーホルダー４５の下面が、レンズホルダー３２の第２光学部位置決め突起３２ｄ１〜３２ｄ４と当接して、第２光学部４０は、Ｙ方向に位置決めされて固定される。
【００６１】
第２光学部４０を第１光学部３０のレンズホルダー３２に積載固定すると、先の図９に示すように、投影レンズ部３１のレンズホルダー３２よりも上部の部分が、第２光学部４０のミラーホルダー４５内に収納される。また、第２光学部４０を、レンズホルダー３２に積載固定したとき、曲面ミラー４２とレンズホルダー３２との間には、隙間があり、その隙間にアイドラギヤ３５（図９参照）入り込んでいるような形となる。
【００６２】
図１３は、第１光学系７０から投影面１０１（スクリーン）までの光路を示す斜視図である。
第１光学系７０を構成する投影レンズ部３１を透過した光束は、折り返しミラー４１と曲面ミラー４２との間で、ＤＭＤ１２で生成された画像に共役な中間像を形成する。この中間像は、折り返しミラー４１と曲面ミラー４２との間に曲面像として結像される。次に、中間像を結像した後の発散する光束は、凹面状の曲面ミラー４２に入射し、収束光束になり、曲面ミラー４２により中間像を「さらに拡大した画像」にして投影面１０１に投影結像する。
【００６３】
このように、投影光学系を、第１光学系７０と、第２光学系とで構成し、第１光学系７０と第２光学系の曲面ミラー４２との間に中間像を形成し、曲面ミラー４２で拡大投影することで、投影距離を短くでき、狭い会議室などでも使用することができる。
【００６４】
また、図１３に示すように、照明ブラケット２６には、第１光学部３０、第２光学部４０が積載固定される。また、画像形成部１０も固定される。よって、照明ブラケット２６の脚部２９が、第１光学部３０、第２光学部４０および画像形成部１０の重量を支える形でベース部材５３に固定される。
【００６５】
図１４は、装置内の各部の配置関係を示した模式図である。
図に示すように、画像形成部１０、照明部２０、第１光学部３０、第２光学部４０は、投影面の短軸方向であるＹ方向に積層配置されており、光源部６０は、画像形成部１０、照明部２０、第１光学部３０、第２光学部４０が積層された積層体に対して投影面の長軸方向であるＺ方向に配置されている。このように、本実施形態においては、画像形成部１０、照明部２０、第１光学部３０、第２光学部４０および光源部が、投影画像および投影面１０１に対して平行な方向であるＹ方向またはＺ方向に並べて配置されている。さらに具体的には、画像形成部１０と照明部２０とからなる画像形成系Ａと、第１光学部３０と第２光学部４０とからなる投影光学系Ｂとが積層された方向に対して直交する方向に光源部６０が画像形成系Ａに連結されている。また、画像形成系Ａと光源部６０とは、ベース部材５３に平行な同一の直線上に配置されている。また、画像形成系Ａと投影光学系Ｂとは、ベース部材５３に垂直な同一の直線上に配置され、ベース部材５３側から、画像形成系Ａ、投影光学系Ｂの順番で配置されている。これにより、装置の設置スペースが投影面１０１に投影された投影画像の面に対して直交する方向に取られるのを抑制することができる。これにより、画像投影装置を机などの上に載せて使用する場合、狭い室内においても装置が、机や椅子の配置の邪魔になるのを抑制することができる。
【００６６】
また、本実施形態においては、光源部６０の上方に、光源６１やＤＭＤ１１に電力を供給するための電源部８０が積層配置されている。これら光源部６０、電源部８０、画像形成系Ａ、投影光学系Ｂは、上述のプロジェクタの上面と、ベース部材５３と、プロジェクタ１の周囲を覆う後述の外装カバー５９（図１９参照）からなるプロジェクタ１の容器に収納されている。
【００６７】
図１５は、本実施形態のプロジェクタ１の使用例を示す図であり、図１６、従来のプロジェクタ１Ａの使用例を示す図であり、図１７は、光源６０と照明ユニット２０とを投影名１０１に対して直交する方向に並べて配置したプロジェクト１Ｂの使用例を示す図である。
図１５〜図１７に示すように、プロジェクタ１は、例えば会議室などで使用する場合、プロジェクタ１をテーブル１００に置いてホワイトボードなどの投影面１０１に画像を投影して使用される。
【００６８】
図１６に示すように、従来のプロジェクタ１Ａは、ＤＭＤ１２（画像生成素子）、照明部２０、第１光学系７０、第２光学系（曲面ミラー４２）が、投影画像の面に対して直交する方向に直列に並べて配置されている。よって、プロジェクタ１Ａの投影面に対して直交する方向（Ｘ方向）に長くなり、プロジェクタ１Ａが、投影面１０１に対して直交する方向にスペースをとってしまう。投影面１０１に投影された画像を見る人が座る椅子や、使用する机は、一般的に投影面に対して直交する方向に配置するため、プロジェクタが、投影面に対して直交する方向にスペースを取ると、それだけ、椅子の配置スペースや机の配置スペースが制限されて、利便性が悪い。
【００６９】
図１７に示すプロジェクタ１Ｂは、ＤＭＤ１２（画像形成素子）、照明部２０、第１光学系７０が、投影画像の面と平行に直列に並べて配置されている。よって、図１８に示すプロジェクタ１Ｂに比べて、投影面１０１に対して直交する方向の長さを短くすることができる。しかしながら、図１７に示すプロジェクタ１Ｂは、光源６１が、照明部２０に対して投影画像の面に対して直交する方向に配置されているため、プロジェクタの投影面１０１に対して直交する方向の長さを十分に短くすることができない。
【００７０】
一方、図１５に示す本実施形態のプロジェクタ１においては、画像形成部１０と照明部２０とからなる画像形成系Ａ、および第１光学部３０と折り返しミラー４１とからなる投影光学系Ｂとを、投影面１０１および投影面１０１に投影された投影画像の像面に対して平行な方向のうち図中Ｙ方向に直列に並べて配置している。また、光源部６０と、照明部２０とが、投影面１０１に投影された投影画像の面に対して平行な方向のうち図中Ｚ方向に直列に並べて配置している。すなわち、本実施形態のプロジェクタ１は、光源部６０、画像形成部１０、照明部２０および第１光学部３０と、折り返しミラー４１とは、投影面１０１に投影された投影画像の面に対して平行な方向（図中Ｚ方向またはＹ方向）に配置された構造となっており、光源部６０、画像形成部１０、照明部２０および第１光学部３０と、折り返しミラー４１のそれぞれが投影面および投影画像の像面に平行に配置されているのである。このように、光源部６０、画像形成部１０、照明部２０および第１光学部３０と、折り返しミラー４１とを、投影面１０１に投影された投影画像の面に対して平行な方向（図中Ｚ方向またはＹ方向）に配置したので、図１５に示すように、図１６や図１７に示したプロジェクタに比べて投影面１０１に対して直交する方向（図中Ｘ方向）の長さを短くすることができる。これにより、プロジェクタ１が椅子の配置スペースや机の配置スペースの阻害となるのを抑制することができ、利便性の高いプロジェクタ１を提供することができる。
【００７１】
また、本実施形態においては、先の図１４に示すように、光源部６０の上方に、光源６１やＤＭＤ１１に電力を供給するための電源部８０が積層配置されている。これにより、プロジェクタ１のＺ方向も短くなっている。
【００７２】
図１８は、本実施形態のプロジェクタ１の別の使用例について説明する図である。
図１８に示すように、本実施形態のプロジェクタ１は、天井１０５に吊り下げて使用することもできる。この場合も、本実施形態のプロジェクタ１は、投影面１０１に対して直交する方向に短いので、天井１０５にプロジェクタ１を設置する際、天井１０５に配置された照明器具１０６に干渉することなく、設置することができる。
【００７３】
また、本実施形態においては、第２光学系を折り返しミラー４１と曲面ミラー４２とで構成しているが、第２光学系を曲面ミラー４２のみで構成してもよい。また、折り返しミラー４１は、平面ミラーでも正の屈折力を持ったミラーでも負の屈折力を持ったミラーでもよい。また、本実施形態においては、曲面ミラー４２として凹面ミラーを用いているが、凸面ミラーを用いることもできる。この場合は、第１光学系７０と曲面ミラー４２との間で中間像を形成しないように第１光学系７０を構成する。
【００７４】
光源６１は、経時使用で寿命を迎えるので、定期的な交換が必要である。このため、本実施形態においては、光源部６０は、装置本体から着脱可能に設けられている。
【００７５】
図１９は、プロジェクタ１の設置面側を見た斜視図である。
図１９に示すように、プロジェクタ１の底面を構成するベース部材５３には、開閉カバー５４が設けられており、開閉カバー５４には、回転操作部５４ａが設けられている。回転操作部５４ａを回転すると、開閉カバー５４と装置本体との固定が解除され、開閉カバー５４が、装置本体から取り外し可能となる。また、ベース部材５３の開閉カバー５４のＸ方向に隣接する箇所には、電源吸気口５６が設けられている。
【００７６】
また、図１９に示すように、プロジェクタ１の外装カバー５９の一方のＹ−Ｘ平面には、吸気口８４と、パソコンなどの外部装置から画像データなどが入力される外部入力部８８が設けられている。
【００７７】
図２０は、開閉カバー５４を装置から取り外した様子を示す斜視図である。
開閉カバー５４を取り外すと、図２０に示すように、光源部６０の光源ブラケット６２の光源６１が装着された側と反対側の面が露出する。光源ブラケット６２には、取っ手部６６が、光源ブラケット６２に対して図中点線で示すＯ１を回転中心にして回動自在に取り付けられている。
【００７８】
光源部６０を装置本体から取り出すときは、取っ手部６６を回動させて取っ手部６６を掴んで図中手前側へ引き出すことで、光源部６０は、装置本体の開口部から取り外される。光源部６０を装置本体に装着するときは、装置本体の開口部から光源部６０を挿入する。光源部６０を装置本体への挿入していくと、先の図４に示したコネクタ部６２ａが装置本体の不図示の電源側コネクタと接続する。また、同図に示したホルダ６４の３つの光源位置決め部６４ａ１〜６４ａ３が、先の図６に示した照明部２０の照明ブラケット２６に設けられた３つの光源被位置決め部２６ａ１〜２６ａ３に嵌合し、光源部６０が装置本体に位置決めされる。これにより、光源部６０の装着が完了する。そして、開閉カバー５４をベース部材５３に取り付ける。本実施形態においては、光源部６０に取って部６６を設けているが、図２０に示すように、開閉カバー５４側へ突出して設けられた通過部６５を取っ手部としてもよい。なお、開閉カバー５４の詳細については、後述する。
【００７９】
また、ベース部材５３には、３箇所脚部５５が設けられており、この脚部５５を回転させることで、ベース部材５３からの突出量が変更され、高さ方向（Ｙ方向）の調整を行うことができるようになっている。
【００８０】
また、図２０に示すように、外装カバー５９の他方のＹ−Ｘ平面には、排気口８５が設けられている。
【００８１】
図２１は、本実施形態のプロジェクタ１内の空気の流れを説明する説明図である。この図は、プロジェクタ１を投影面１０１に対して直交する方向（Ｘ方向）から見た図である。
図２１に示すように、プロジェクタ１の側面の一方（図中左側）にプロジェクタ１内に外気を取り込むための開口した吸気口８４が設けられており、プロジェクタ１の側面の他方（図中右側）にプロジェクタ１内の空気を排気する開口した排気口８５が設けられている。また、排気口８５と対向するように、排気ファン８６が設けられている。
【００８２】
排気口８５と吸気口８４の一部は、プロジェクタ１を投影面１０１に対して直交する方向（Ｘ方向）から見たとき、光源部６０と操作部８３との間となるように設けられている。これにより、吸気口８４から取り込まれた外気は、先の図１２に示す第２光学部４０のミラーホルダ４５のＺＹ平面や曲面ミラー４２の裏面にまわりこんで、ミラーホルダ４５や曲面ミラー４２の裏面に沿いながら、吸気口８４へ向かって移動する。光源部６０の上部に配置された電源部８０は、図中Ｚ方向から見たとき、アーチ状の形状をしており、ミラーホルダ４５や曲面ミラー４２の裏面に沿いながら、吸気口８４へ向かって移動してきた空気は、電源部８０に囲われた空間へ流れ、排気口８５から排出される。
【００８３】
このように、排気口８５と吸気口８４の一部が、プロジェクタ１を投影面１０１に対して直交する方向（Ｘ方向）から見たとき、光源部６０と操作部８３との間となるように設けることで、光源部６０と操作部８３との間を通って、排気口８５から排出される気流を生じさせることができる。
【００８４】
また、照明部２０のカラーホイール２１を回転駆動させるためのカラーモータ２１ａ（図５参照）の周囲の空気が吸引できるような箇所に光源ブロワ９５が配置されている。これにより、光源ブロワ９５の吸気により発生する気流でカラーモータ２１ａを冷却することができる。
【００８５】
光源ブロワ９５により吸引された空気は、光源ダクト９６を通って、ホルダ６４の光源給気口６４ｂ（図４参照）へ流入する。また、光源ダクト９６へ流入した空気の一部は、光源ダクト９６の外装カバー５９（図１９参照）との対向面に形成された開口部９６ａから光源ハウジング９７と外装カバー５９との間に流れる。
【００８６】
光源ダクト９６の開口部９６ａから光源ハウジング９７と外装カバー５９との間に流れてきた空気は、光源ハウジング９７と外装カバー５９とを冷却した後、排気ファン８６によって排気口８５から排出される。
【００８７】
また、光源給気口６４ｂへと流れた空気は、光源６１へ流入し、光源６１を冷却した後、ホルダ６４の上面に設けられた光源排気口６４ｃから排気される。光源排気口６４ｃから排気された空気は、光源ハウジング９７上面の開口部から電源部８０に囲われた空間へ排気される。その後、第２光学部４０を周り込んで電源部８０の囲われた空間に流れ込んできた低温の空気と混ざった後、排気ファン８６により排気口８５から排出される。このように、光源排気口６４ｃから排気された高温の空気が、外気と混合させてから、排気することにより、排気口８５から排気される空気が高温となるのを抑制することができる。
【００８８】
また、ユーザーが操作する操作部８３は、ユーザーが操作しやすいように、装置の上面に設けるのが好ましい。しかし、本実施形態においては、プロジェクタ１上面に、投影面１０１に画像を投影するための透過ガラス５１を設けているため、プロジェクタをＹ方向から見たとき、光源６１と重なる位置に、操作部８３を設ける必要がある。
【００８９】
本実施形態においては、光源部６０と操作部８３との間に吸気口８４から排気口８５へ向かって流れる気流で、光源６１を冷却して高温となった空気を、排気口へ向けて排気するので、この高温の空気が、操作部８３へ移動するのを抑制することができる。これにより、光源６１を冷却して高温となった空気で、操作部８３が温度上昇するのを抑制することができる。また、吸気口８４から第２光学部４０を周り込んで、排気口８５へ向かって流れる空気の一部は、操作部８３の真下を通って、操作部８３を冷却する。このことも、操作部８３の温度上昇を抑制することができる。
【００９０】
また、排気ファン８６による吸気により、先の図１９に示したベース部材５３に設けられた電源吸気口５６から外気が吸気される。光源ハウジング９７よりも図中Ｘ方向奥側には、光源６１に安定した電力（電流）を供給するための不図示のバラスト基板が配置されており、電源吸気口５６から吸引された外気は、光源ハウジング９７と不図示のバラスト基板との間を上方へ移動しながら、バラスト基板を冷却する。その後、バラスト基板の上方に配置されている電源部８０で囲われた空間に流れた後、排気ファン８６により排気口８５から排気される。
【００９１】
本実施形態では、吸気口８４から排気口８５へ向かう気流を発生させるファンを、排気ファン８６として、排気側に設けているので、吸気口にファンを設ける場合に比べて、吸気口から装置内に供給される空気の供給量を増やすことができる。これは、吸気口８４にファンを設けた場合、ファンの空気を送り出す方向に、第２光学部４０があるため、第２光学部４０によって、ファンから装置内部へ供給される外気の風量が低下してしまう。一方、排気ファン８６として、排気口８５側にファンを設けた場合、通常、排気口８５よりも排気側には、物体がないので、排気ファン８６から排出される風量が減少することはない。よって、排気ファン８６から排気された排気量と、同じだけの量の空気が吸気口８４から取り入れられるので、結果的に、吸気口から装置内部へ供給される空気の供給量が低下することがない。よって、所定の風圧で、吸気口８４から排気口８５へ向けて空気を流すことができ、光源６１から上昇してきた加熱空気を、吸気口８４から排気口８５への気流で、排気口８５へ良好に向かわせることができる。
【００９２】
また、装置本体の図中左下側には、画像形成部１０のヒートシンク１３や、光源部６０光源ブラケット６２などを冷却する冷却部１２０が配置されている。冷却部１２０は、吸気ブロワ９１、垂直ダクト９２、水平ダクト９３を有している。
図２３も参照して吸気ブロワ９１から送り出した空気の流れを説明する。吸気ブロワ９１は、吸気口８４の下方に対向配置されており、吸気口８４と対向する面から吸気口８４を介して外気を吸気するとともに、吸気口と対向する面と反対側の面から装置内部の空気を吸気して、吸気ブロワ９１の下方に配置された垂直ダクト９２へ流入する。垂直ダクト９２へ流入した空気は、下方へと移動し、垂直ダクト９２の下方部で連結された水平ダクト９３へ送られる。
【００９３】
水平ダクト９３内には、ＤＭＤ１２の画像生成面の裏側に取り付けられたヒートシンク１３が配置されており、ヒートシンク１３が、水平ダクト９３を流れる空気により冷却される。ヒートシンク１３が冷却されることにより、効率よくＤＭＤ１２を冷却することができ、ＤＭＤ１２が、高温になるのを抑制することができる。
【００９４】
水平ダクト９３内を移動してきた空気は、先の図４に示す光源部６０の光源ブラケット６２に設けられた通過部６５または開口部６５ａへ流入する。開口部６５ａへ流入した空気は、開閉カバー５４と光源ブラケット６２との間へと流れ、開閉カバー５４を冷却する。
【００９５】
一方、通過部６５へ流入した空気は、光源ブラケット６２を冷却した後、光源６１の出射側とは反対側の部分へ流入し、光源６１のリフレクタ６７の反射面とは反対側を冷却することで、光源６１のリフレクタ６７を冷却する。したがって、通過部６５を通過する空気は、光源ブラケット６２と光源６１の両方の熱を奪う。リフレクタ６７付近を通過した空気は、光源ブラケット６２の高さから排気ファン８６の下部付近の高さまでの空気を導く排気ダクト９４を通った後に、光源排気口６４Ｃから排気された空気と合流し、流体ガイド８７を通って、排気口８５へ至る。排気ファン８６により排気口８５から排出される。また、開口部６５ａを通って開閉カバー５４と光源ブラケット６２との間へ流入した空気は、開閉カバー５４を冷却した後、装置内部を移動して、排気ファン８６により排気口８５から排出される。
【００９６】
図２２は、冷却部１２０を、照明部２０および光源部６０とともに示す斜視図であり、冷却部と照明部２０と光源部６０との配置関係は、図示のようになっている。
図に示すように、照明部２０の画像形成部１０、第１光学部３０、第２光学部４０の重量を支える脚２９により、水平ダクト９３を、照明部２０の下方へ配置することができるスペースが確保できることがわかる。
【００９７】
図２３は、図２２の断面図であり、矢印は、吸気ブロワ９１から通過部６５を経てリフレクタ６７付近へ至る空気の流れである。吸気ブロワ９１から流入した空気は、図示の矢印Ｋ０、Ｋ１、Ｋ３のように流れる。光源ブラケット６２および通過部６５がベース部材５３に面するように光源部６０がプロジェクタ１に装着されているため、光源６１のリフレクタ６７を冷却するための流路およびヒートシンク１３を冷却するための流路である水平ダクト９３もベース部材５３に設ける構造になるので、プロジェクタ１の投影面に対して垂直な方向の幅を小さくすることができる。
【００９８】
図２４は、ベース部材５３と水平ダクト９３と光源ブラケット６２を示す斜視図である。
図に示すように、水平ダクト９３は、プロジェクタ１のベース部材５３に固定されており、その上面の一部が開口している。この開口部に画像形成部１０のヒートシンク１３が貫通するように、画像形成部が水平ダクト９３上に配置される。
【００９９】
図２５は、水平ダクト９３から光源ブラケット６２への空気の流れを、下側から見た図であり、図２６は、上側から見た図である。
図２５、図２６に示すように、水平ダクト９３内を移動してきた空気は、光源部６０の光源ブラケット６２に設けられた通過部６５または開口部６５ａへ流入する。開口部６５ａへ流入した空気は、開閉カバー５４と光源ブラケット６２との間へと流れ、開閉カバー５４を冷却する。したがって、開閉カバー５４から熱を奪うことが可能になる。また、通過部６５自体は、光源６１側と開閉カバー５４側の両方の空気で熱が奪われる。
【０１００】
本実施形態においては、光源６１として、ハロゲンランプ、メタルハライドランプ、高圧水銀ランプなどを用いており、光源６１は、発光すると高温となる。この光源からの熱伝導や輻射熱などにより光源ブラケット６２、開閉カバー５４も高温となる。光源６１の寿命がきて、光源部６０を交換するときは、開閉カバー５４や光源ブラケット６２を手で摘むような作業をするため、開閉カバー５４や光源ブラケット６２の温度が低下しないと、光源部６０の交換作業ができないという不具合がある。しかし、本実施形態においては、上述したように、光源ブラケット６２に通過部６５を設け、そこに空気を流して光源ブラケット６２を冷却するとともに、開閉カバー５４と光源ブラケット６２との間にも空気を流入させて、開閉カバー５４も冷却している。これにより、開閉カバー５４、光源ブラケット６２の温度上昇を抑えることができる。これにより、装置の停止後、開閉カバー５４、光源ブラケット６２の温度をユーザーが掴める程度の温度にすばやく低下させることができる。よって、装置の使用中に光源６１の寿命がきて、光源部６０の交換が必要となった場合、ユーザーが、開閉カバー５４や取っ手部６６を早い段階で掴むことができる。よって、従来よりも早い段階で、新品の光源部６０に取り替えることができ、装置のダウンタイムを短縮することができる。
【０１０１】
また、本実施形態においては、通過部６５を、開閉カバー５４に突出させ、光源部６０の交換の際に、通過部６５をユーザーが掴んで取り出すための取って部としても利用可能となっている。通過部６５は、上述したように、空気が流入して積極的に冷やされる部分であり、光源ブラケット６２の中でも温度が低く抑えられる部分である。よって、この通過部６５を取って部として利用可能に構成することにより、さらに、早い段階で新品の光源部６０に取り替えることができ、装置のダウンタイムをさらに短縮することができる。
【０１０２】
また、本実施形態においては、上述したように、光源ブラケット６２に通過部６５を設けて、光源ブラケット６２を冷却することで、光源６１の温度上昇を抑制している。よって、光源６１へ流入させる空気の流量を、従来よりも少なくしても、良好に光源６１を冷却することができる。これにより、光源ブロワ９５の回転数（ｒｐｍ）を落とすことができ、光源ブロワ９５の風切り音を抑えることができ、装置の騒音を抑制することができる。また、光源ブロワ９５の回転数（ｒｐｍ）を落とすことができるので、装置の省電力化を図ることができる。また、風量の少ない小型の光源ブロワ９５を用いることができ、装置の小型化を図ることができる。
【０１０３】
また、本実施形態のプロジェクタ１は、開閉カバー５４に、光源部６０を装置本体側へ押し当てる押し当て手段が設けられており、開閉カバー５４の押し当て手段で光源部６０を押し込むことで、光源部６０を装置本体に固定する。以下に、図面を用いて具体的に説明する。
【０１０４】
図２７は、開閉カバー５４を示す斜視図である。
図２７に示すように、開閉カバー５４は、操作部材としての回転操作部５４ａを取り付けるための開口部１５５を有しており、この開口部１５５の周囲には、３箇所、回転操作部５４ａを回転自在に開閉カバー５４に取り付けるための爪部１５３ａ〜１５３ｃが設けられている。また、開閉カバー５４の一端（図中左側端部）には、ベース部材５３の開口部たる光源部取り出し口５３ｃ（図３２参照）の縁部に引っ掛けるための２個の引っ掛け部１５１を有している。また、上記引っ掛け部１５１と、開口部１５５との間には、光源ブラケット６２の通過部６５の両脇に当接して、光源部６０を光源部６０装着方向へ押し込む第２の押し込み手段としての一対の押し込み突起１５２が設けられている。また、開口部１５５の周囲の図中右側には、回転操作部５４ａが開閉カバー５４から外れるのを抑制する外れ抑制突起１５４が設けられている。また、開口部１５５の周囲の押し込み突起１５２側には、回転操作部５４ａが開閉カバー５４の第２の状態としての固定解除位置に到達したとき、回転操作部５４ａの固定部１６１が突き当る突き当て部１５６を有している。
【０１０５】
図２８は、回転操作部５４ａを示す斜視図である。
図２８に示すように、回転操作部５４ａのベースは、開閉カバー５４の開口部１５５に収まるように開口部１５５の直径よりも若干直径が短い円形状となっている。この円形状の回転操作部５４ａに、開閉カバー５４をベース部材５３に固定にするための２個の固定部１６１（図中上下方向に設けられている）、円周方向に延び、径方向に突出した鍔部１６２が形成されている。鍔部１６２には、円周方向４箇所に切り欠き１６３が設けられている。また、４つの鍔部１６２のうち、回転操作部５４ａを開閉カバー５４に組付ける際に、上記外れ抑制突起１５４と対向する図中手前側の鍔部１６２ａは、一端側（図中左側）の径方向の高さＭ１よりも、他端側（図中右側）の径方向の高さＭ２が高くなっており、一端側から他端側に向けて径方向の高さが徐々に高くなるような形状となっている。また、この鍔部１６２ａの他端側の径方向の高さＭ２は、他の鍔部１６２ａの径方向高さよりも高くなっている。
【０１０６】
また、回転操作部５４ａには、図２９に示す付勢部材１７０が取り付けられる円柱状の付勢部材取り付け部１６５が、回転操作部５４ａの回転方向に約１８０°の間隔開けて設けられている。また、回転操作部５４ａの円周には、図２９に示す付勢部材１７０が位置決めされる付勢部材位置決め部１６６が設けられている。
【０１０７】
図２９は、回転操作部５４ａに付勢部材１７０を取り付けた様子を示す斜視図である。
付勢部材１７０は、板金を加工して形成されたもので、２箇所に回転操作部５４ａの付勢部材取り付け部１６５が貫通する貫通穴が設けらており、この貫通穴の周囲に複数の爪部１７１が設けられている。この貫通穴に回転操作部５４ａの付勢部材取り付け部１６５を貫通させ、付勢部材位置決め部１６６に付勢部材１７０を突き当てることで、付勢部材１７０を回転操作部５４ａに位置決めすることができる。また、貫通穴の周囲に設けた爪１７３が付勢部材取り付け部１６５に引っ掛かり、付勢部材１７０が回転操作部５４ａに固定される。
【０１０８】
また、付勢部材１７０には、折り曲げ加工により光源部側（図中上方）へ向けて突出し、開閉カバー５４をベース部材５３に固定したとき、光源ブラケット６２の通過部６５に当接して、光源部６０を装着方向へ付勢する板バネ部１７２が、２箇所設けられている。したがって、通過部６５を距離の離れた２点で付勢することができる。また、各板バネ部１７２は、回転操作部５４ａの固定解除位置から固定位置へ回転操作部５４ａを回転させる（図では、反時計回り）ときの回転方向（以下、固定回転方向という）下流側から上流側に向かうにつれて、光源部側へ徐々に突出するように形成されている。
【０１０９】
図３０は、固定部１６１周辺の拡大構成図である。
図３０に示すように、固定部１６１の図中下面（ベース部材５３と対向する面）には、ベース部材５３に設けられた嵌合凸部２５３（図３１参照）と嵌合する嵌合凹部１６１ａが設けられている。この嵌合凹部１６１ａよりも回転操作部５４ａの固定回転方向下流側（図中右側）には、図３１に示す嵌合凸部２５３を押し戻す押し戻し部１６１ｂが嵌合凹部１６１ａに隣接して設けられている。押し戻し部１６１ｂは、回転操作部５４ａの固定回転方向上流から下流に向けてベース部材５３から徐々に離間するようなテーパ形状となっている。また、嵌合凹部１６１ａよりも回転操作部５４ａの固定回転方向上流側（図中左側）には、回転操作部５４ａの固定回転方向上流から下流に向けてベース部材５３から徐々に離間するようなテーパ形状の嵌合維持部１６１ｃが設けられている。
【０１１０】
図３１は、ベース部材５３の光源部取り出し口５３ｃ周辺を示す概略構成図である。
図３１に示すように、回転操作部５４ａが固定位置にあるとき、上記固定部１６１の嵌合凹部１６１ａ嵌合する嵌合凸部２５３が各切欠き部５３ｄに設けられている。各嵌合凸部２５３は、Ｚ方向からみたとき台形形状であり、Ｘ方向からみたとき半円形状となるような形状となっている。
【０１１１】
図３２は、回転操作部５４ａを開閉カバー５４に取り付ける様子を説明する斜視図である。
回転操作部５４ａを開閉カバー５４の開口部１５５に組み付けるときは、まず、図３２（ａ）に示すように、回転操作部５４ａの切り欠き１６３ａを、爪部１５３ａの位置に、切り欠き１６３ｃを、爪部１５３ｂの位置に、切り欠き１６３ｄを、爪部１５３ｃの位置にそれぞれ位置を合わせた後、回転操作部５４ａを、開閉カバー５４の開口部１５５組み付ける。これにより、鍔部１６２が、爪部１５３ａ〜１５３ｃに当たることなく、回転操作部５４ａを開閉カバー５４の開口部１５５に組み付けることができる。また、このとき、外れ抑制突起１５４と対向する鍔部１６２ａの一端側付近が、外れ抑制突起１５４と対向している。
【０１１２】
回転操作部５４ａを開閉カバー５４の開口部１５５に組み付けたら、回転操作部５４ａを図中矢印Ｅ方向（図中時計回り）に回転させる。すると、鍔部１６２が、爪部１５３ａ〜１５３ｃと開閉カバー５４のベース面１５７との間に入り込む。また、鍔部１６２ａが、外れ抑制突起１５４と当接する。この状態からさらに力を加えて回転操作部５４ａを回転させると、外れ抑制突起１５４が弾性変形して、鍔部１６２ａを外れ抑制突起１５４が乗り越える。これにより、図３２（ｂ）に示すように、回転操作部５４ａが、開閉カバー５４に回転自在に取り付けられる。外れ抑制突起１５４は、他の鍔部１６２とは、当接しないような位置に設けられているので、外れ抑制突起１５４が、回転操作部５４ａを操作して、開閉カバー５４の固定を解除したり固定したりするときに、操作の抵抗となることはない。
【０１１３】
図３２（ｂ）の状態から、回転操作部５４ａを図中反時計回りに回転させていくと、鍔部１６２ａの他端に突き当たり、外れ抑制突起１５４が、回転操作部５４ａの回転を規制する。これにより、回転操作部５４ａの切り欠き１６３ａ、１６３ｃ、１６３ｄが、それぞれ爪部１５３ａ、１５３ｂ、１５３ｃと対向する位置まで回転せしめられることを抑制することができ、回転操作部５４ａを開閉カバー５４に取り付け後、回転操作部５４ａが、開閉カバー５４から取り外れるのを抑制することができる。
【０１１４】
このようにして、回転操作部５４ａを開閉カバー５４に取り付けたら、先の図２９に示すように、回転操作部５４ａに付勢部材１７０を取り付ける。なお、付勢部材１７０を取り付けた回転操作部５４ａを開閉カバー５４に取り付けてもよい。
【０１１５】
次に、開閉カバー５４の装置本体としてのベース部材５３への固定について説明する。
図３３は、開閉カバー５４を、ベース部材５３の光源部取り出し口５３ｃに組み付けたときの斜視図である。
図３３に示すように、ベース部材５３の光源部取り出し口５３ｃの縁部は、内部側（上側）へ突出しており、回転操作部５４ａの固定部１６１と対向する箇所に切り欠き５３ｄが設けられている。また、光源部取り出し口５３ｃの縁部の（図中左側）も２箇所、切り欠いており、開閉カバー５４の引っ掛け部１５１を引っ掛ける被引っ掛け部５３ｅが形成されている。
【０１１６】
また、開閉カバー５４は、光源部６０や光源部６０が装置本体に装着されたときに突き当てる突き当て部を有する部材（照明ブラケット２６や電源側コネクタ１７１）よりも弾性変形しやすい構成となっている。
【０１１７】
回転操作部５４ａが、固定解除位置にあるとき、固定部１６１は、切り欠き５３ｄと対向していない。開閉カバー５４をベース部材５３に固定するときは、回転操作部５４ａを固定解除位置から図中反時計回りに回転させる。
【０１１８】
図３４は、開閉カバー５４をベース部材５３の光源部取り出し口５３ｃに固定したときの斜視図である。
回転操作部５４ａが、固定位置にあるときは、固定部１６１の一部が、上記切り欠き５３ｄと対向する。これにより、回転操作部５４ａが、開閉カバー５４がベース部材５３に固定される固定位置に到達し、開閉カバー５４がベース部材５３に固定される。
【０１１９】
図３５は、図３３の矢印ｄ方向から見た斜視図である。
図３５に示すように、回転操作部５４ａが、固定解除位置にあるとき、ベース部材５３に設けられた嵌合凸部２５３は、固定部１６１よりも固定回転方向（図中矢印Ｘ方向）側に位置している。回転操作部５４ａを図中矢印Ｘ方向に回動させると、固定部１６１が徐々に嵌合凸部２５３に近づいていき、固定部１６１の固定回転方向下流端（押し戻し部１６１ｂの図中右端）が、切り欠き部５３ｄと対向すると同時に、嵌合凸部２５３と当接する。回転操作部５４ａをさらに、図中矢印Ｘ方向へ回転させると、押し戻し部１６１ｂに嵌合凸部２５３が接触しながら相対的に嵌合凹部１６１ａへ移動する。嵌合凸部２５３の切り欠き部５３ｄからの高さの方が、切り欠き部５３ｄと固定部１６１と隙間よりも大きいため、固定部１６１は、嵌合凸部２５３から力を受ける。回転操作部５４ａは、樹脂などのある程度の弾性を有する材料で構成されており、また、固定部１６１は、回転操作部５４ａに片持ち支持されたような形状である。よって、嵌合凸部２５３から力を受けると、固定部１６１は、ベース部材５３から離間する方向に撓む。これにより、嵌合凸部２５３は、固定部１６１を押し退けながら、押し戻し部１６１ｂを相対的に移動していく。そして、回転操作部５４ａが固定位置にくると、図３６に示すように、嵌合凸部２５３が、嵌合凹部１６１ａと嵌合する。これにより、固定部１６１が、図３４に示したように、切り欠き部５３ｄと対向して開閉カバー５４が固定されるとともに、回転操作部５４ａが、開閉カバー５４が固定される位置（第１状態）で留められる。このように、回転操作部５４ａが留められることで、装置の振動などにより回転操作部５４ａが開閉カバー固定解除方向に回動して、開閉カバー５４の固定が解除されるのを防止することができる。
【０１２０】
また、嵌合凸部２５３が、嵌合凹部１６１ａに嵌合すると、回転操作部５４ａの回転負荷が一気に減少する。これにより、回転操作部５４ａを操作するユーザーにクリック感が生まれ、ユーザーに開閉カバー５４がベース部材５３に固定されたことを報知することができる。
【０１２１】
また、ユーザーによって、回転操作部５４ａの負荷がある程度大きくなった時点で開閉カバー５４が固定されたと勘違いして、回転操作を止めてしまい、嵌合凸部２５３が嵌合凹部１６１ａに嵌合していないおそれがある。しかしながら、本実施形態においては、先の図３０に示したように、押し戻し部１６１ｂを回転操作部５４ａの固定回転方向上流から下流に向けてベース部材５３から徐々に離間するようなテーパ形状としている。従って、嵌合凸部２５３が嵌合凹部１６１ａに嵌合する手前で回転操作部５４ａの回転操作を止めて、ユーザーが回転操作部を手放すと、回転操作部５４ａが固定回転方向と逆方向に回転する。よって、ユーザーが、この回転操作部５４ａの回転を見て、正しく固定されていないことを認識させることができる。
【０１２２】
また、このとき、回転操作部５４ａが嵌合凸部２５３から力を受けない位置まで、回転操作部５４ａが回転する。すなわち、固定部１６１の固定回転方向下流端（押し戻し部１６１ｂの図中右端）と嵌合凸部２５３とが当接する位置まで回転操作部５４ａが回転するのである。この位置では、固定部１６１は、切り欠きと対向していない状態であり、開閉カバーの固定が解除された状態である。よって、嵌合凸部２５３が嵌合凹部１６１と嵌合していない状態のときは、開閉カバーがベース部材５３に固定されることはない。
【０１２３】
また、回転操作部５４ａが嵌合凸部２５３から力を受けない位置まで、回転操作部５４ａが回転するので、固定部１６１が弾性変形した状態放置されることがない。これにより、固定部１６１が長期にわたり弾性変形状態で放置されることがなくなり、固定部１６１のクリープ変形を防止することができる。
【０１２４】
また、本実施形態においては、嵌合凸部２５３が嵌合凹部１６１ａに嵌合した後も、回転操作部５４を固定回転方向に回動させることができる。よって、ユーザーによっては、嵌合凸部２５３が嵌合凹部１６１ａに嵌合した後、回動させてしまう場合がある。先の図４３に示した本出願人が開発した画像投影装置においては、図３７に示すように、固定部１６１が弾性変形して、嵌合凹部１６１ａよりも図中左側（固定操作方向下流側）が、嵌合凸部２５３に乗り上げる。この場合も、この状態で放置されると、固定部１６１がクリープ変形したり、破損したりする場合がある。
【０１２５】
しかし、本実施形態においては、図３８に示すように、ユーザーが、回転操作部５４ａを回しすぎると、嵌合凸部２５３は、傾斜した嵌合維持部１６１ｃと当接する。この嵌合維持部１６１ｃは、上述したように、回転操作部５４ａの固定回転方向上流から下流に向けてベース部材５３から徐々に離間するような形状であるため、ユーザーが回転操作部から手を離すと、回転操作部５４ａは、固定操作方向と逆方向へ回転する。そして、図３５に示すように、自然に嵌合凸部２５３と嵌合凹部１６１ａとが嵌合する位置まで戻る。これにより、固定部１６１が弾性変形したたまま放置されることがなくなり、固定部１６１のクリープ変形を抑制することができる。
【０１２６】
また、回転操作部５４ａを回転させすぎると、図３８に示すように、固定部１６１が切り欠きの端部に突き当る。よって、回転操作部５４ａを回転させすぎて、嵌合凸部２５３が、嵌合維持部１６１ｃとの当接が解除されるのを防止することができる。
【０１２７】
また、本実施形態においては、開閉カバー５４をベース部材５３に固定するとき、光源部６０をベース部材５３から離間する方向に押し込んで、装置本体内で光源部６０を装置本体内に位置決め固定している
図３９は、開閉カバー５４をベース部材５３の光源部取り出し口５３ｃに固定時における光源部６０の押し込みについて説明する図である。
図３９（ａ）に示すように、光源部６０を装置本体に挿入すると、照明ブラケットに設けられた被光源位置決め部２６ａ１〜２６ａ３に、光源部６０のホルダ６４に設けられた位置決め部６４ａ１〜６４ａ３が嵌合するとともに、雌型のコネクタ部６２ａに雄型の電源側コネクタ１７１が嵌合する。これにより、光源部が装置本体内で、Ｚ方向およびＸ方向に位置決め固定される。
【０１２８】
開閉カバー５４をベース部材５３の光源部取り出し口５３ｃに取り付けるときは、まず、引っ掛け部１５１を、被引っ掛け部５３ｅに引っ掛け、引っ掛け部１５１を支点にして開閉カバー５４を図中時計回りに回動させる。開閉カバー５４を回動させていくと、引っ掛け部１５１側に設けられた一対の押し込み突起１５２が、光源ブラケット６２の通過部６５の両脇に当接する。この状態からさらに開閉カバー５４を回動させていくと、一対の押し込み突起１５２が、光源部６０のホルダ６４側を押し込む。その結果、光源部６０のホルダ６４の位置決め突起６４ａ３が設けられた面６４ｄ２（図６参照）が、照明ブラケット２６に設けられた突き当て部としての光源被位置決め穴２６ａ３の縁部Ｔ１に突き当る。また、ホルダ６４の位置決め穴６４ａ１、６４a２が設けられた面６４ｄ１（図６参照）が、突き当て部としての照明ブラケット２６の被光源位置決め突起２６ａ１,２６ａ２が設けられた面Ｔ２と突き当る。これにより、光源部６０のホルダ６４側が、押し込み突起１５２と照明部２０とにより挟持固定される。そして、図３９（ｂ）に示すように、開閉カバー５４が、光源部取り出し口５３ｃに組み付けられる。このときの様子を図４０に示す。図４０は、照明部２０、光源部６０、ベース部材５３とともに、示す斜視図である。
【０１２９】
本実施形態においては、開閉カバー５４を光源部取り出し口５３ｃに組み付ける際に開閉カバー５４を回動させるときの回動の支点である引っ掛け部１５１の近傍に、押し込み突起１５２を設けている。引っ掛け部１５１を支点とするてこの原理における作用点が、押し込み突起１５２の光源部６０との当接部となり、力点が、開閉カバー５４の引っ掛け部１５１と反対側の端部となる。このように、てこの原理における作用点が、力点よりも支点側となるので、少ない力で光源部６０を装着方向へ押し込むことができ、開閉カバー５４の光源部取り出し口５３ｃへの取り付けを容易に行うことができる。
【０１３０】
また、図３９（ｂ）、図４１に示すように、回転操作部５４ａが、固定解除位置にあるとき、板バネ部１７２が、光源ブラケット６２の通過部６５と対向しており、光源部６０は、まだ板バネ部１７２により押し込まれていない。図３９に示すように、付勢部材１７０の面から板バネ部１７２の固定回転方向下流側端部までの長さは、付勢部材１７０と通過部６５との間の隙間よりも長くなっている。
【０１３１】
回転操作部５４ａを解除位置から固定位置へ回転させると、板バネ部１７２の固定回転方向上流側端部が、光源ブラケットの被押し込み部としての通過部６５に当接し、弾性変形する。さらに、回転操作部５４ａを固定位置へ回動させていくと、板バネ部１７２の弾性変形量が徐々に増加し、通過部６５に対する付勢力（押し込み力）が徐々に増加する。このように、光源部６０が板バネ部１７２により押し込まれることで、雄型の電源側コネクタ１７１が、雌型のコネクタ部６２ａに完全に挿入され、電源側コネクタ１７１とコネクタ部６２ａとが確実に接続される。また、コネクタ部６２ａの縁部が、電源側コネクタ部１７１の突き当て部Ｔ３に突き当る。そして、回転操作部５４ａが、固定位置（嵌合凹部１６１ａが嵌合凸部２５３に嵌合する位置）にくると、図３９（ｃ）、図４２に示すように、板バネ部１７２により所定の付勢力で光源部６０を、コネクタ部６２ａ側へ押し込む。これにより、光源部６０のコネクタ部６２ａ側が、板バネ部１７２と電源側コネクタ１７１の突き当て部とにより挟持固定される。
【０１３２】
このように、開閉カバー５４が、装置本体のベース部材５３に固定されると、光源部６０が、２個の板バネ部１７２に押されて、装置本体内で、光源部６０が挟持固定される。これにより、光源部６０が、Ｙ方向に位置決め固定される。また、光源部６０を押し込む部材を板バネ部１７２などの弾性部材としている。寸法誤差の積み上げにより、付勢部材と通過部との隙間が規定値よりも大きくなったり、小さくなったりする。押し込む部材が弾性変形し難い部材の場合においては、付勢部材と通過部との隙間が規定値よりも大きい場合でも光源部を押し込めるようにすると、付勢部材と通過部との隙間が規定値よりも小さいときに押し込み力が過剰となる。その結果、光源部６０が装置本体に装着されたときに突き当てる突き当て部を有する部材（照明ブラケット２６や電源側コネクタ１７１）などに大きな力が加わり、変形したり、破損したりするおそれがある。また、開閉カバー５４をベース部材に固定できないおそれもある。
【０１３３】
一方、本実施形態のように、光源部６０を押し込む部材を板バネ部１７２などの弾性体として弾性変形しやすくすることで、弾性変形しにくい構成とした場合に比べて、付勢部材と通過部との隙間の変動による押し込み力の変動を小さくすることができる。これにより、付勢部材と通過部との隙間が規定値よりも大きくなった場合でも、良好に、光源部６０を装置本体側に押し込むことができる。また、付勢部材１７０と通過部６５との隙間が規定値よりも小さくなった場合でも、押し込み力が過剰となり、光源部６０が装置本体に装着されたときに突き当てる突き当て部を有する部材（照明ブラケット２６や電源側コネクタ１７１）が、変形したり、破損したりするのを抑制することができる。また、開閉カバー５４をベース部材に固定できなくなるのを抑制することができる。
【０１３４】
また、板バネ部１７２を、固定回転方向下流側から上流側に向かうにつれて、光源部側へ徐々に突出するように形成し、徐々に押し込み力が増加するように構成しているので、回転操作部５４ａを固定解除位置から固定位置へ回転操作するときの操作抵抗が急激に増加するのを防止することができる。これにより、回転操作部５４ａを固定位置へ回転させるときに大きな力を要することなく、押し当て部１６５を通過部６５に距離の離れた２点で当接させることができる。
【０１３５】
また、板バネ部１７２を回転操作部５４ａの回転方向に等間隔で複数設けているので、回転操作部５４ａを固定位置へ向けて回転させ、光源部６０を押し込むとき、押し込み力の反作用が回転操作部５４ａに均等にかかる。よって、回転操作部５４ａを固定位置へ回転させるときに、回転操作部５４ａが傾いて、回転操作部５４ａの鍔部１６２が爪部１５３ａと摺擦することを抑制することができる。これにより、回転操作部５４ａを固定位置へ移動させるときの操作抵抗が増すなどの事態を抑制することができる。
【０１３６】
また、開閉カバー５４を、ベース部材５３から取り外すときは、上記とは逆方向へ回転操作部５４ａを回転させる。すると、固定部１６１が、切り欠き５３ｄと対向しなくなり、開閉カバー５４のベース部材５３との固定が解除される。この状態から回転操作部５４ａをさらに回転させると、固定部１６１が、突き当て部１５６に突き当り、回転操作部５４ａの回転が阻止される。これにより、回転操作部５４ａを操作しているユーザーに対して、開閉カバー５４のベース部材５３との固定が解除されたことを知らせることができる。
【０１３７】
このように、本実施形態においては、回転操作部５４ａを操作することで、開閉カバー５４の固定と固定解除とを行うことができ、開閉カバー５４をネジで締結する場合とは異なりスクリュードライバなどの工具を用意することなく、光源部６０の交換を行うことができる。これにより、光源部６０の交換を容易に行うことができる。
【０１３８】
また、開閉カバーの装置本体のベース部材５３への固定の操作に連動して、光源部６０のＹ方向（光源部６０の装置着脱方向）の位置決め固定を行うことができるので、簡単な操作で、光源部６０の交換を行うことができる。さらに、光源部６０のＺ方向、Ｘ方向の位置決め固定も、光源部６０を装置本体に装着するだけで、行うことができるので、さらに簡単な操作で、光源部６０の交換を行うことができる。
【０１３９】
また、本実施形態においては、上述したように、押し戻し部１６１ａや嵌合維持部１６１ｃを設けて、嵌合凸部２５３が押し当った状態で開閉カバー５４がベース部材５３に固定されることはない。嵌合凸部２５３が押し当った状態で開閉カバー５４がベース部材５３に固定される場合、嵌合凸部２５３の押し当て力により開閉カバー５４や回転操作部５４ａが光源部６０から離間する方向に撓む場合がある。その結果、一対の押し込み突起１５２が、光源部６０から離間して光源部６０のホルダ６４側が、押し込み突起１５２と照明部２０とにより挟持固定されなくなる。また、板バネ部１７２の付勢力が弱まってしまう。その結果、光源部６０が装置本体内でガタついてしまうおそれがある。
【０１４０】
一方、本実施形態においては、上述したように、押し戻し部１６１ａや嵌合維持部１６１ｃを設けて、嵌合凸部２５３が押し当った状態で開閉カバー５４がベース部材５３に固定されることはない。よって、嵌合凸部２５３の押し当て力により開閉カバー５４や回転操作部５４ａが光源部６０から離間する方向に撓んだ状態で開閉カバー５４がベース部材５３に固定されることがない。これにより、装置本体内で光源部６０を良好に挟持固定することができ、装置内で光源部６０ががたつくのを良好に抑制することができる。
【０１４１】
また、操作部材５４ａを、開閉カバー５４対して直線往復移動する構成としてもよい。しかし、操作部材５４ａを、開閉カバー５４対して回動する構成とすることで、次の利点を得ることができる。すなわち、開閉カバー５４対して直線往復移動することで、開閉カバー５４の固定と固定の解除を行う構成とした場合に比べて、操作量を多くすることができる。これにより、押し戻し部の傾斜や板バネ部の傾斜をゆるくすることができる。これにより、急激に力が加わるのを抑制することができる。これにより、繰り返し荷重による固定部１６１の破断や、光源部６０が装置本体に装着されたときに突き当てる突き当て部を有する部材（照明ブラケット２６や電源側コネクタ１７１）の破断を抑制することができる。
【０１４２】
以上に説明したものは一例であり、本発明は、次の（１）〜（９）態様毎に特有の効果を奏する。
（１）
装置本体に対して着脱可能に構成された光源部６０に備えられた光源６１からの光を用いて画像を形成する画像形成部Ａと、画像を投射する投射光学部Ｂと、光源部６０を装置本体に対して着脱するために設けられた光源部取り出し口５３ｃなどの開口部を開閉する開閉カバー５４とを備えたプロジェクタ１などの画像投影装置において、開閉カバー５４を装置本体に固定する第１状態と、この固定が解除される第２状態とを操作によって選択的とりうるように前記開閉カバー５４に対して可動に取り付けられた回転操作部５４ａなどの操作部材と、装置本体及び操作部材のいずれか一方に設けられた嵌合凹部２５３および他方に設けられ嵌合凹部２５３と嵌合する嵌合凸部１６１ａを備え、第２状態から第１状態をとなるように操作部材を操作すると、嵌合凹部１６１ａを有する面に嵌合凸部２５３を押し当てながら、嵌合凸部２５３が嵌合凹部１６１ａへ向けて相対的に移動し、嵌合凸部２５３が嵌合凹部１６１ａと嵌合することで、操作部材を第１状態で留める留め手段と、嵌合凸部２５３が嵌合凹部１６１ａに嵌合する手前で操作部材の操作を止めたとき、操作部材を、第２状態から第１状態をとなるように操作部材を操作するときの固定操作方向とは逆方向に押し戻す押し戻し部１６１ａなどの押し戻し手段とを備えた。
かかる構成を備えることで、実施形態で説明したように、操作部材がクリープ変形するのを抑制すことができ、かつ、振動などにより開閉カバーの装置本体に対する固定が解除されてしまうのを防止することができる。
【０１４３】
（２）
また、上記（１）に記載の態様の画像投影装置において、押し戻し部１６１ａなどの押し戻し手段は、第２状態から第１状態をとなるように回転操作部５４ａなどの操作部材を操作したときに、嵌合凹部１６１ａを有する面の嵌合凸部２５３が押し当る箇所に形成され、嵌合凹部１６１ａに向かうにつれて嵌合凸部２５３を有する面との隙間が徐々に狭まる傾斜部である。
かかる構成を備えることで、実施形態で説明したように、操作部材を、第２状態から第１状態をとなるように操作部材を操作するときの固定操作方向とは逆方向に押し戻すことができる。
【０１４４】
（３）
また、装置本体に対して着脱可能に構成された光源部６０に備えられた光源６１からの光を用いて画像を形成する画像形成部Ａと、画像を投射する投射光学部Ｂと、光源部６０を装置本体に対して着脱するために設けられた光源部取り出し口５３ｃなどの開口部を開閉する開閉カバー５４とを備えたプロジェクタ１などの画像投影装置において、開閉カバー５４は、開閉カバ−を装置本体に固定する第１状態と、この固定が解除される第２状態とを操作によって選択的とりうるように前記開閉カバー５４に対して可動に取り付けられた回転操作部５４ａなどの操作部材と、装置本体及び操作部材のいずれか一方に設けられた嵌合凹部１６１ａおよび他方に設けられ嵌合凹部１６１ａと嵌合する嵌合凸部２５３を備え、第２状態から第１状態をとなるように操作部材を操作すると、嵌合凹部１６１ａを有する面に嵌合凸部２５３を押し当てながら、嵌合凸部２５３が嵌合凹部１６１ａへ向けて相対的に移動し、嵌合凸部２５３が嵌合凹部１６１ａと嵌合することで、操作部材を第１状態で留める留め手段と、嵌合凸部２５３が嵌合凹部１６１ａを通りすぎたとき、嵌合凸部２５３を嵌合凹部１６１ａへ押し戻す嵌合維持部１６１ｃなどの嵌合維持手段とを備えた。
かかる構成を備えることで、実施形態で説明したように、操作部材を第１状態からさらに回転させたところで止めても、操作部材が自ら回転して、嵌合凸部２５３と嵌合凹部１６１ａとが嵌合する位置に戻すことができる。これにより、操作部材がクリープ変形するのを抑制すことができる。
【０１４５】
（４）
また、上記（１）または（２）に記載の態様の画像投影装置において、嵌合凸部２５３が嵌合凹部１６１ａを通りすぎたとき、嵌合凸部２５３を嵌合凹部１６１ａへ押し戻す嵌合維持部１６１ｃなどの嵌合維持手段を備えた。
かかる構成を備えることで、実施形態で説明したように、操作部材を第１状態からさらに回転させたところで止めても、操作部材が自ら回転して、嵌合凸部２５３と嵌合凹部１６１ａとが嵌合する位置に戻すことができる。これにより、操作部材がクリープ変形するのを抑制すことができる。
【０１４６】
（５）
また、上記（３）または（４）に記載の態様の画像投影装置において、嵌合維持部１６１ｃなどの嵌合維持手段は、嵌合凸部２５３が嵌合凹部１６１ａを通りすぎたとき、嵌合凹部１６１ａを有する面の嵌合凸部２５３が押し当る箇所に形成され、嵌合凹部１６１ａから離れるに従い嵌合凸部２５３の有する面との隙間が徐々に狭まる傾斜部である。
かかる構成とすることで、実施形態で説明したように、嵌合凸部２５３が嵌合凹部１６１ａを通りすぎたとき、嵌合凸部２５３を嵌合凹部１６１ａへ押し戻すことができる。
【０１４７】
（６）
また、上記（１）乃至（５）いずれかに記載の態様の画像投影装置において、光源部６０が装置本体に装着されたときに、光源部６０が突き当る突き当て部を有し、開閉カバー５４は、第２状態から第１状態をとなるように操作部材を操作すると、光源部６０に当接して、光源部６０を突き当て部に押し込む板バネ部１７２などの押し込み手段を設けた。
かかる構成を備えることで、実施形態で説明したように、開閉カバー５４を装置本体に固定すると、光源部６０が押し込み手段により突き当て部側へ押圧され、光源部６０が、押し込み手段と突き当て部とにより挟持固定される。このように、開閉カバー５４の装置本体に固定に連動して、光源部６０が、固定されるので、開閉カバー５４を装置本体へ固定するための操作とは別に、光源部６０を固定するための操作が必要な特許文献１に記載の画像投影装置に比べて、光源部６０の交換作業を容易に行うことができる。
なお、本実施形態においては、突き当て部を、照明ブラケット２６の光源被位置決め穴２６ａ３の縁部Ｔ１、照明ブラケット２６の被光源位置決め突起２６ａ１,２６ａ２が設けられた面Ｔ２、電源側コネクタ部１７１の突き当て部Ｔ３で構成した。
【０１４８】
（７）
上記（６）に記載の態様の画像投影装置において、押し込み手段は、光源部６０を突き当て部に付勢する板バネ部１７２などの付勢手段を備えた。
かかる構成を備えることで、実施形態で説明したように操作部材と光源部との隙間にばらつきがあっても、光源部を押し込む力が大きく変動するの抑制することができる。
【０１４９】
（８）
また、上記（６）または（７）に記載の態様の画像投影装置において、板バネ部１７２などの押し込み手段は、第２状態から第１状態にする操作部材の操作により光源部６０に対する押し込み力が徐々に高まる構成とした。
かかる構成とすることで、実施形態で説明したように、操作部材を第２状態から第１状態へ操作するときの操作抵抗が急激に増加するのを防止することができる。これにより、操作部材を第１状態にさせるときに大きな力を要することなく、第１状態にすることができる。これにより、操作部材を容易に操作することができる。
【０１５０】
（９）
また、上記（１）乃至（８）いずれかに記載の態様の画像投影装置において、操作部材は、開閉カバー５４に対して回転自在に取り付けられた。
かかる構成を備えることで、実施形態で説明したように、操作部材を直線移動するように開閉カバーに取り付けたものに比べて、操作部材の操作量を多くすることができる。これにより、操作部材を直線移動するように構成した場合に比べて、押し戻し部や傾斜部の傾斜、板バネ部の傾斜を緩くすることができる。これにより、操作部材を直線移動するように構成した場合に比べて、回転操作量に対する操作部材にかかる力の増加量を減少させることができる。これにより、第２状態から第１状態にするときの繰り返し過剰による操作部材の破断を抑制することができる。
【符号の説明】
【０１５１】
１：プロジェクタ
１０：画像形成部
２０：照明部
４０：光学部
５３：ベース部材
５３ｃ：光源取り出し口
５３ｄ：切り欠き部
５３ｅ：被引っ掛け部
５４：開閉カバー
５４ａ：回転操作部
６０：光源部
６１：光源
６２ａ：コネクタ部
６４：ホルダ
６５：通過部
７０：光学系
１６１：固定部
１６１ａ：嵌合凹部
１６１ｂ：押し戻し部
１６１ｃ：嵌合維持部
１７０：付勢部材
１７２：板バネ部
２５３：嵌合凸部
２５３ 嵌合凸部
Ａ：画像形成系
Ｂ：投影光学系
【先行技術文献】
【特許文献】
【０１５２】
【特許文献１】特開２０１０−１１３１３２号公報
【図１】
2014035487.tif 000003
【図２】
2014035487.tif 000004
【図３】
2014035487.tif 000005
【図４】
2014035487.tif 000006
【図５】
2014035487.tif 000007
【図６】
2014035487.tif 000008
【図７】
2014035487.tif 000009
【図８】
2014035487.tif 000010
【図９】
2014035487.tif 000011
【図１０】
2014035487.tif 000012
【図１１】
2014035487.tif 000013
【図１２】
2014035487.tif 000014
【図１３】
2014035487.tif 000015
【図１４】
2014035487.tif 000016
【図１５】
2014035487.tif 000017
【図１６】
2014035487.tif 000018
【図１７】
2014035487.tif 000019
【図１８】
2014035487.tif 000020
【図１９】
2014035487.tif 000021
【図２０】
2014035487.tif 000022
【図２１】
2014035487.tif 000023
【図２２】
2014035487.tif 000024
【図２３】
2014035487.tif 000025
【図２４】
2014035487.tif 000026
【図２５】
2014035487.tif 000027
【図２６】
2014035487.tif 000028
【図２７】
2014035487.tif 000029
【図２８】
2014035487.tif 000030
【図２９】
2014035487.tif 000031
【図３０】
2014035487.tif 000032
【図３１】
2014035487.tif 000033
【図３２】
2014035487.tif 000034
【図３３】
2014035487.tif 000035
【図３４】
2014035487.tif 000036
【図３５】
2014035487.tif 000037
【図３６】
2014035487.tif 000038
【図３７】
2014035487.tif 000039
【図３８】
2014035487.tif 000040
【図３９】
2014035487.tif 000041
【図４０】
2014035487.tif 000042
【図４１】
2014035487.tif 000043
【図４２】
2014035487.tif 000044
【図４３】
2014035487.tif 000045
【図４４】
2014035487.tif 000046
【図４５】
2014035487.tif 000047